(57)【要約】【課題】深型・内水面処分場内に防水シートを敷設するための好適な手法を提供する。【解決手段】廃棄物処分場１内に防水シートを敷設する方法は、地中連続壁（第１壁部１１）の構築及び内部空間７の形成に先立って地中に掘削溝３０，３１を形成する掘削溝形成工程と、鉄筋籠２０の一側を覆うように側部防水シート４を鉄筋籠２０に取り付ける側部防水シート取付工程と、側部防水シート４が取り付けられた鉄筋籠２０を掘削溝３０，３１内に挿入する鉄筋籠挿入工程と、側部防水シート４及び鉄筋籠２０が挿入された掘削溝３０，３１内にコンクリートを打設して地中連続壁を構築する地中連続壁構築工程と、地中連続壁によって囲まれる内部空間７を掘削形成する内部空間形成工程とを含む。鉄筋籠挿入工程では、鉄筋籠２０に取り付けられた側部防水シート４が地中連続壁構築工程の後に地中連続壁の内周面に位置するように鉄筋籠２０を掘削溝３０，３１内に挿入する。【選択図】図６
2020175314.tif 000002
【特許請求の範囲】
【請求項１】
廃棄物が投棄される内部空間を有して地中を鉛直方向に延びる筒状の地中連続壁と、前記地中連続壁の下側開口部を塞ぐ底部とを有する廃棄物処分場内に防水シートを敷設する方法であって、
前記地中連続壁の構築及び前記内部空間の形成に先立って地中を鉛直方向に掘削することで地中に掘削溝を形成する掘削溝形成工程と、
鉄筋籠の一側を覆うように側部防水シートを前記鉄筋籠に取り付ける側部防水シート取付工程と、
前記側部防水シートが取り付けられた前記鉄筋籠を前記掘削溝内に挿入する鉄筋籠挿入工程と、
前記側部防水シート及び前記鉄筋籠が挿入された前記掘削溝内にコンクリートを打設することで、鉄筋コンクリート製の前記地中連続壁を構築する地中連続壁構築工程と、
構築された前記地中連続壁によって囲まれた地中を掘削することで前記内部空間を形成する内部空間形成工程と、
を含み、
前記鉄筋籠挿入工程では、前記鉄筋籠に取り付けられた前記側部防水シートが前記地中連続壁構築工程の後に前記地中連続壁の内周面に位置するように前記鉄筋籠を前記掘削溝内に挿入する、防水シートの敷設方法。
【請求項２】
前記地中連続壁は、その周方向に交互に並ぶ先行エレメント及び後行エレメントを含んで構成され、
前記防水シートの敷設方法は、互いに隣り合う先行エレメント及び後行エレメントの端部同士が接続された接続部を前記内部空間側から覆うように接続部防水シートを設置する接続部防水シート設置工程を更に含む、請求項１に記載の防水シートの敷設方法。
【請求項３】
前記側部防水シート取付工程では、前記鉄筋籠の一側に設けられて鉛直方向に延びるガイドレールに前記側部防水シートを取り付けることで、前記側部防水シートを前記ガイドレールを介して前記鉄筋籠に取り付け、
前記防水シートの敷設方法は、
前記地中連続壁構築工程の後に前記ガイドレールの上端部に下降装置を配置する下降装置セッティング工程と、
前記下降装置セッティング工程の後に底部防水シートの外縁部を前記下降装置に取り付ける底部防水シート取付工程と、
前記内部空間形成工程の後、かつ、前記底部防水シート取付工程の後に、前記下降装置を前記ガイドレールにより案内しつつ前記ガイドレールの上端部から下端部まで下降させることで前記底部防水シートを前記廃棄物処分場の前記底部まで下降させる底部防水シート下降工程と、
を更に含む、請求項１又は請求項２に記載の防水シートの敷設方法。
【請求項４】
前記接続部防水シート設置工程は、前記底部防水シート下降工程の後に実施され、
前記接続部防水シート設置工程は、前記接続部防水シートの下端部が前記廃棄物処分場の前記底部に到達するまで前記接続部防水シートを前記ガイドレールにより案内しつつ下降させることを含む、請求項３が請求項２に従属する場合の請求項３に記載の防水シートの敷設方法。
【請求項５】
前記底部防水シート下降工程の後、かつ、前記接続部防水シート設置工程の後に、前記底部防水シートの外縁部と前記側部防水シートの下端部と前記接続部防水シートの下端部とを覆うように押さえコンクリートを打設する押さえコンクリート打設工程を更に含む、請求項３が請求項２に従属する場合の請求項３又は請求項４に記載の防水シートの敷設方法。
【請求項６】
前記側部防水シート取付工程は、前記側部防水シートにおける前記鉄筋籠に相対する側と反対の側の表面を防護するためのシート部材を前記鉄筋籠に取り付けることを含む、請求項１〜請求項５のいずれか１つに記載の防水シートの敷設方法。
【請求項７】
廃棄物が投棄される内部空間を有して地中を鉛直方向に延びる筒状の地中連続壁と、前記地中連続壁の下側開口部を塞ぐ底部とを有する廃棄物処分場内に防水シートを敷設する方法であって、
前記地中連続壁の周方向に間隔を空けて前記地中連続壁の内周面に設けられて鉛直方向に延びる複数のガイドレールの各々の上端部に下降装置を配置する下降装置セッティング工程と、
前記下降装置セッティング工程の後に底部防水シートの外縁部を前記下降装置に取り付ける底部防水シート取付工程と、
前記底部防水シートが取り付けられた前記下降装置を前記ガイドレールにより案内しつつ前記ガイドレールの上端部から下端部まで下降させることで前記底部防水シートを前記廃棄物処分場の前記底部まで下降させる底部防水シート下降工程と、
を含む、防水シートの敷設方法。
【請求項８】
前記下降装置セッティング工程に先立って前記地中連続壁の内周面に側部防水シートが敷設されており、
前記防水シートの敷設方法は、前記底部防水シート下降工程の後に、前記底部防水シートの外縁部と前記側部防水シートの下端部とを覆うように押さえコンクリートを打設する押さえコンクリート打設工程を更に含む、請求項７に記載の防水シートの敷設方法。
【発明の詳細な説明】
【技術分野】
【０００１】
本発明は、廃棄物を埋立処分するための廃棄物処分場（最終処分場）内に防水シートを敷設する方法に関する。
【背景技術】
【０００２】
廃棄物は一般廃棄物と産業廃棄物に分類され、一般廃棄物は、生ごみ、破砕ごみ、焼却灰などの形状で、地方自治体が準備する一般廃棄物最終処分場に埋立処分される。一般廃棄物最終処分場の形態としては、（１）陸上処分場、海面（内水面）処分場、（２）平面処分場、深型処分場、（３）屋根無し（オープン型）、屋根付き（クローズドシステム）に分けられる。いずれも、法規上は管理型廃棄物処分場に相当する。
【０００３】
従来、海面（内水面）処分場内に遮水シートを敷設するための種々の技術が提案されている（例えば、特許文献１，２参照）。
【先行技術文献】
【特許文献】
【０００４】
【特許文献１】特開２００２−０６６４９３号公報
【特許文献２】特開２００２−１２６６８３号公報
【発明の概要】
【発明が解決しようとする課題】
【０００５】
特許文献１，２に開示のような遮水シート敷設技術は、水深１０ｍ程度の海面処分場に用いられ得る。しかしながら、水深３０〜５０ｍ程度の深型・内水面処分場内に防水シートを敷設するに際して、特許文献１，２に開示のような遮水シート敷設技術を用いることが難しかった。つまり、現時点で、深型・内水面処分場内に防水シートを敷設する好適な手法が確立されていない。
【０００６】
本発明は、このような実状に鑑み、深型・内水面処分場内に防水シートを敷設するための好適な手法を提供することを目的とする。
【課題を解決するための手段】
【０００７】
そのため本発明の第１態様における防水シートの敷設方法は、廃棄物が投棄される内部空間を有して地中を鉛直方向に延びる筒状の地中連続壁と、地中連続壁の下側開口部を塞ぐ底部とを有する廃棄物処分場内に防水シートを敷設する方法である。本発明の第１態様における防水シートの敷設方法は、地中連続壁の構築及び内部空間の形成に先立って地中を鉛直方向に掘削することで地中に掘削溝を形成する掘削溝形成工程と、鉄筋籠の一側を覆うように側部防水シートを鉄筋籠に取り付ける側部防水シート取付工程と、側部防水シートが取り付けられた鉄筋籠を掘削溝内に挿入する鉄筋籠挿入工程と、側部防水シート及び鉄筋籠が挿入された掘削溝内にコンクリートを打設することで、鉄筋コンクリート製の地中連続壁を構築する地中連続壁構築工程と、構築された地中連続壁によって囲まれた地中を掘削することで前記内部空間を形成する内部空間形成工程と、を含む。鉄筋籠挿入工程では、鉄筋籠に取り付けられた側部防水シートが地中連続壁構築工程の後に地中連続壁の内周面に位置するように鉄筋籠を掘削溝内に挿入する。
【０００８】
本発明の第２態様における防水シートの敷設方法は、廃棄物が投棄される内部空間を有して地中を鉛直方向に延びる筒状の地中連続壁と、地中連続壁の下側開口部を塞ぐ底部とを有する廃棄物処分場内に防水シートを敷設する方法である。本発明の第２態様における防水シートの敷設方法は、地中連続壁の周方向に間隔を空けて地中連続壁の内周面に設けられて鉛直方向に延びる複数のガイドレールの各々の上端部に下降装置を配置する下降装置セッティング工程と、下降装置セッティング工程の後に底部防水シートの外縁部を下降装置に取り付ける底部防水シート取付工程と、底部防水シートが取り付けられた下降装置をガイドレールにより案内しつつガイドレールの上端部から下端部まで下降させることで底部防水シートを廃棄物処分場の底部まで下降させる底部防水シート下降工程と、を含む。
【発明の効果】
【０００９】
本発明の第１態様によれば、地中連続壁の構築と同時に地中連続壁の内周面に側部防水シートを敷設することができるので、廃棄物処分場内に防水シートを簡易に、かつ、効率よく敷設することができる。これは、深型・内水面処分場内に防水シートを敷設するのに好適である。
【００１０】
本発明の第２態様によれば、底部防水シートが取り付けられた下降装置を、地中連続壁の内周面に設けられたガイドレールにより案内しつつ下降させることで、底部防水シートを廃棄物処分場の底部まで下降させることができるので、廃棄物処分場内に防水シートを簡易に、かつ、効率よく敷設することができる。これは、深型・内水面処分場内に防水シートを敷設するのに好適である。
【図面の簡単な説明】
【００１１】
【図１】本発明の一実施形態における廃棄物処分場の概略構成を示す図
【図２】同上実施形態における防水シートの敷設方法を示す図
【図３】同上実施形態における防水シートの敷設方法を示す図
【図４】同上実施形態における防水シートの敷設方法を示す図
【図５】同上実施形態における防水シートの敷設方法を示す図
【図６】同上実施形態における第１壁部（地中連続壁）の構築方法及び側部防水シートの敷設方法を示す図
【図７】同上実施形態における鉄筋籠に側部防水シート及びシート部材を設置する方法を示す図
【図８】同上実施形態における底部防水シートの敷設方法を示す図
【図９】同上実施形態における下降装置の概略構成を示す図
【図１０】同上実施形態における接続部防水シートの設置方法を示す図
【図１１】同上実施形態における接続部防水シートユニットの概略構成を示す図
【発明を実施するための形態】
【００１２】
以下、本発明の実施の形態について、図面を参照して説明する。
図１は、本発明の一実施形態における廃棄物処分場１の概略構成を示す。
【００１３】
廃棄物処分場１は、クローズドシステム・深型の廃棄物処分場であり、廃棄物を埋立処分するためのものである。廃棄物処分場１は廃棄物処分用の構造物である。本実施形態では、廃棄物処分場１は、廃棄物処分場１内の水面ＷＳ上に廃棄物が投棄される水面処分型であり、ゆえに内水面処分場である。
【００１４】
廃棄物処分場１の筒状の壁体２は、地面ＧＬ２から下方に延びるように構築されている。ここで、図１において、地面ＧＬ２下は、原地盤（施工地盤）Ｇ１と盛土Ｇ２とによって構成されている。すなわち、廃棄物処分場１の壁体２は、その側方が、原地盤Ｇ１及び盛土Ｇ２によって囲まれている。
【００１５】
ここで、図１に示す地面ＧＬ２は、盛土Ｇ２の上面に対応する。図１に示す地面ＧＬ１は、原地盤Ｇ１の上面（盛土Ｇ２の下面）に対応する。尚、図１には、原地盤Ｇ１の地下水位ＷＬが例示されている。
【００１６】
廃棄物処分場１は、壁体２と、屋根３と、側部防水シート４と、接続部防水シート４０（図１０及び図１１参照）と、底部防水シート５と、押さえコンクリート６とを含んで構成される。
本実施形態では壁体２は円筒状である。壁体２は、地中（原地盤Ｇ１中及び盛土Ｇ２中）を鉛直方向に延びている。壁体２は、廃棄物埋立用の内部空間７を囲む。換言すれば、壁体２は、その内側に、廃棄物が投棄される内部空間７を有する。内部空間７内には水Ｗが貯留され得る。
【００１７】
壁体２は、鉛直方向に延びる筒状の第１壁部１１及び第２壁部１２により構成されている。第１壁部１１は壁体２の下側部分を構成するものであり、第２壁部１２は壁体２の上側部分を構成するものである。本実施形態では第１壁部１１と第２壁部１２との双方が円筒状である。
【００１８】
第１壁部１１は、原地盤Ｇ１に埋設されている。本実施形態では、第１壁部１１は、鉄筋コンクリート製の地中連続壁（ＲＣ連壁）からなる。第１壁部１１は、その周方向に交互に並ぶ先行エレメント１７と後行エレメント１８とを含んで構成される（図６参照）。尚、本実施形態では、第１壁部１１（地中連続壁）の構築方法としてコンクリートカッティング工法を用いた場合について説明するが、第１壁部１１の構築方法はこれに限らない。
第１壁部１１は遮水性を有し得る。ゆえに、第１壁部１１は遮水壁として機能し得る。
【００１９】
第２壁部１２は第１壁部１１の直上に立設されている。第２壁部１２は、その周囲が盛土Ｇ２によって囲まれている。第２壁部１２は、例えば、鉄筋コンクリート製である。第２壁部１２は遮水性を有してもよい。
【００２０】
第２壁部１２は、その内外を連通する開口部１４を有する。開口部１４は、第２壁部１２を貫通している。盛土Ｇ２中には、地上と開口部１４とを連通する通路１５が形成されている。この通路１５は、廃棄物を地上から開口部１４まで搬送するための搬送路として利用され得る。通路１５は略水平に延びている。
【００２１】
屋根３は、鉄筋コンクリート製のドーム屋根であり、第２壁部１２（壁体２）の上面開口を塞ぐように第２壁部１２に連結されている。本実施形態では屋根３の構築にエアードーム工法（登録商標）が用いられる。エアードーム工法（登録商標）では、まず、第２壁部１２の上面開口を塞ぐように膜材（シート）を設置し、その塞がれた内部に送気することで加圧して膜材を膨らませる。次に、膜材上にラス金網を敷き、吹付コンクリートを吹き付けてモルタルドームを形成する。次に、モルタルドーム上に鉄筋を配置して、コンクリートの打設及び養生を行う。このようにして、屋根３が構築され得る。
【００２２】
尚、本実施形態では屋根３が鉄筋コンクリート製のドーム屋根であるが、屋根３は鉄筋コンクリート製のドーム屋根に限らない。例えば、屋根３は、鉄筋コンクリート製の平屋根、プレストレストコンクリート製のＴ桁平屋根、プレストレストコンクリート製の吊り屋根、及び、テント屋根のいずれかであってもよい。
本実施形態では、屋根３は、平面視で円形状である。
【００２３】
壁体２によって囲まれる内部空間７については、原地盤Ｇ１における壁体２の内側の部分を掘削することで形成される。この掘削は１次掘削（気中掘削）と２次掘削（水中掘削）とに分けられる。１次掘削は、原地盤Ｇ１の上面（地面ＧＬ１）から地下水位ＷＬの３〜４ｍ程度下までの掘削である。１次掘削は、例えば、原地盤Ｇ１の上面上にバックホーを配置してダンプトラックへの直積みで行われる。２次掘削では、内部空間７内の水面ＷＳ上に浮かぶ作業台船上のバケットクレーン又はサンドポンプにより、所定深度まで掘り下げる。尚、この掘削中において、内部空間７内の水位が地下水位ＷＬと同じになるように管理することで、内部空間７内への周辺地下水の流入が無く、床付け地盤が乱されることを防止することできる。
【００２４】
２次掘削によって形成された掘削底面（床付け面）８上には底部防水シート５が設けられる。底部防水シート５は樹脂製又はゴム製のシート状部材であり、可撓性を有する。底部防水シート５は掘削底面８を覆うことが可能である。底部防水シート５については、水を全く透過させない性質（水不透過性）を有することが好ましいが、この他、水を略透過させない程度であってもよい（すなわち、僅かな水透過性を有してもよい）。ここで、掘削底面８が、本発明の「地中連続壁の下側開口部を塞ぐ底部」に対応する。
【００２５】
第１壁部１１の内周面には側部防水シート４が設けられる。側部防水シート４は樹脂製又はゴム製のシート状部材であり、可撓性を有する。側部防水シート４の上端部４ａは、廃棄物処分場１の周辺地盤（原地盤Ｇ１）の地下水位ＷＬ以上に位置している。側部防水シート４の下端部４ｂは掘削底面８に達している。側部防水シート４については、水を全く透過させない性質（水不透過性）を有することが好ましいが、この他、水を略透過させない程度であってもよい（すなわち、僅かな水透過性を有してもよい）。
【００２６】
第１壁部１１の内周面には、その周方向に間隔を空けて、複数の接続部防水シート４０が設けられる（図１０参照）。接続部防水シート４０は、互いに隣り合う先行エレメント１７及び後行エレメント１８の端部同士が接続された接続部１９（図１０参照）を内部空間７側から覆うように設けられている。接続部防水シート４０は樹脂製又はゴム製のシート状部材であり、可撓性を有する。接続部防水シート４０の上端部４０ａ（図１１参照）は、廃棄物処分場１の周辺地盤（原地盤Ｇ１）の地下水位ＷＬ以上に位置している。接続部防水シート４０の下端部は掘削底面８に達している。接続部防水シート４０については、水を全く透過させない性質（水不透過性）を有することが好ましいが、この他、水を略透過させない程度であってもよい（すなわち、僅かな水透過性を有してもよい）。
【００２７】
押さえコンクリート６は、掘削底面８と第１壁部１１の内周面との隅角部（コーナー部）にて、底部防水シート５の外縁部５ａと側部防水シート４の下端部４ｂと接続部防水シート４０の下端部とを覆うように打設されている。本実施形態では、押さえコンクリート６は、上面視で、壁体２の第１壁部１１の内周面に沿う円環状である。
【００２８】
本実施形態では、廃棄物処分場１の運用時に、内部空間７内の水面ＷＳが地下水位ＷＬより僅かに低くなるように管理され得る。この内部空間７内の水位管理には揚水管９が用いられる。
揚水管９は鉛直方向に延びており、壁体２（第１壁部１１及び第２壁部１２）に沿わせて配置されている。揚水管９は、屋根３の上方から屋根３を貫通して内部空間７内に達している。揚水管９の下端９ａは、内部空間７内の水中に位置している。揚水管９の下端９ａについては、廃棄物処分場１の運用時に内部空間７内の水面ＷＳより１０ｍ程度低い位置となるように配置されている。尚、揚水管９の下端９ａは、掘削底面８の上方に位置しており、掘削底面８から例えば１０ｍ以上離れている。
【００２９】
次に、廃棄物処分場１の構築方法について説明する。
廃棄物処分場１の構築方法では、まず、原地盤Ｇ１に第１壁部１１を構築しつつ、側部防水シート４を敷設する。この第１壁部１１の構築方法及び側部防水シート４の敷設方法については、図６及び図７を用いて後述する。
【００３０】
次に、原地盤Ｇ１における第１壁部１１の内側の部分を掘削することで、内部空間７を形成する（図２参照）。この掘削では前述の１次掘削（気中掘削）と２次掘削（水中掘削）とが行われる。
次に、底部防水シート５を掘削底面８に敷設する。この底部防水シート５の敷設方法については、図３、図４、図８及び図９を用いて後述する。
【００３１】
次に、接続部防水シート４０を設置する。この接続部防水シート４０の設置方法については、図１０及び図１１を用いて後述する。
次に、押さえコンクリート６を水中打設する（図５参照）。
【００３２】
次に、第１壁部１１の直上に第２壁部１２を構築する。尚、第２壁部１２を構築する際には開口部１４が形成される。また、原地盤Ｇ１の上面（地面ＧＬ１）上には、通路１５を構成するボックスカルバートが設置される。
【００３３】
次に、第２壁部１２の周囲を囲むように、原地盤Ｇ１の上面（地面ＧＬ１）上に盛土を行う。これにより、前述のボックスカルバートが盛土Ｇ２中に埋設されることで、通路１５が盛土Ｇ２中に形成される。尚、盛土Ｇ２には、内部空間７の形成時に発生した掘削土砂が用いられ得る。
【００３４】
次に、屋根３を構築する。
次に、付帯設備を設置する。ここで、付帯設備は、揚水設備、廃棄物投入設備、換気設備、水処理設備などを含み得る。揚水設備は揚水管９を含み得る。廃棄物投入設備は、廃棄物を内部空間７内に投入するためのクレーンやベルトコンベヤなどを含み得る。
以上のようにして廃棄物処分場１が構築される。
【００３５】
この後、廃棄物処分場１として運用を開始し、廃棄物を内部空間７内の水面ＷＳ上に投棄する。この運用時には、前述のように、内部空間７内の水位管理が行われる。また、内部空間７内への廃棄物の投棄が進んで、廃棄物が地下水位ＷＬを超え始めると、気中投棄に切り替える。この気中投棄では、例えばブルドーザーによる押土及び転圧が行われ得る。
【００３６】
次に、廃棄物処分場１内に防水シート（側部防水シート４、接続部防水シート４０、及び底部防水シート５）を敷設する方法について、図２〜図１１を用いて説明する。
【００３７】
図２〜図５は防水シート（側部防水シート４、接続部防水シート４０、及び底部防水シート５）の敷設方法を示す。図６は第１壁部１１の構築方法及び側部防水シート４の敷設方法を示す。図７は、鉄筋籠２０に側部防水シート４及びシート部材２５を設置する方法を示す。図８は底部防水シート５の敷設方法を示す。図９は下降装置５０の概略構成を示す。図１０は接続部防水シート４０の設置方法を示す。図１１は接続部防水シートユニット４１の概略構成を示し、詳しくは、図１１（ア）は接続部防水シートユニット４１の上面図であり、図１１（イ）は接続部防水シートユニット４１の上部の部分正面図（内部空間７側から見た図）である。
【００３８】
ここで、図６〜図８及び図１０は鉄筋籠２０を上から見た状態を図示しており、図６〜図８及び図１０における紙面左右方向が第１壁部１１の周方向に対応する。図６〜図８及び図１０では第１壁部１１の周方向が紙面左右方向に直線状に延びるように図示しているが、実際には、第１壁部１１の周方向が曲線状（円弧状）に延びている。また、図１１（ア）及び（イ）については、説明の便宜上、図１０の図示に対応するように図示している。
【００３９】
本実施形態における防水シートの敷設方法では、まず、地上（例えば、廃棄物処分場１の近傍の仮設ヤード上）で鉄筋籠２０に、腕部材２１とガイドレール２２とからなる取付部材２３を設ける（図７（ア）参照：取付部材設置工程）。尚、本実施形態では、１つの鉄筋籠２０に３つの取付部材２３を取り付けているが、１つの鉄筋籠２０に取り付けられる取付部材２３の個数は３つに限らず２つ以上の任意の個数であり得る。換言すれば、１つの先行エレメント１７に設けられるガイドレール２２は２つ以上であり得、また、１つの後行エレメント１８に設けられるガイドレール２２は２つ以上であり得る。
ここで、１つの鉄筋籠２０に取り付けられる複数の取付部材２３は、第１壁部１１の周方向に間隔を空けて並び得る。
【００４０】
腕部材２１は、鉄筋籠２０の一側面２０ａから外方に張り出すように延びる。腕部材２１の基端部には鉄筋籠２０が連結され、先端部にはガイドレール２２が連結される。従って、ガイドレール２２は、腕部材２１を介して鉄筋籠２０の一側に設けられる。ここで、腕部材２１の長さは、鉄筋のかぶり厚を考慮して設定され得る。
【００４１】
ガイドレール２２はＣ字状断面を有して鉛直方向に延びる。ガイドレール２２は、例えば、鉛直方向にスリット２２ａが入った鋼管で形成され得る。ガイドレール２２のうちスリット２２ａが形成されている側は内部空間７に面し得る。ガイドレール２２は、地面ＧＬ１から掘削底面８までの距離と同程度の長さ（高さ）を有している。
【００４２】
次に、地上（例えば、廃棄物処分場１の近傍の仮設ヤード上）でガイドレール２２に側部防水シート４を取り付けることで、側部防水シート４をガイドレール２２及び腕部材２１（取付部材２３）を介して鉄筋籠２０に取り付ける（図７（イ）参照：側部防水シート取付工程）。この工程では、側部防水シート４が鉄筋籠２０の一側（一側面２０ａの大部分）を覆うようにガイドレール２２及び腕部材２１（取付部材２３）を介して鉄筋籠２０に取り付けられる。尚、図７（イ）は、側部防水シート４がピンと張った状態でガイドレール２２に取り付けられる例を示しているが、これに代えて、側部防水シート４が緩んだ状態（弛緩状態）でガイドレール２２に取り付けられてもよいことは言うまでもない。
側部防水シート４は、地面ＧＬ１から掘削底面８までの距離と同程度の長さ（高さ）を有することが好ましい。
【００４３】
この「側部防水シート取付工程」は、側部防水シート４の外面（鉄筋籠２０に相対する側と反対の側の表面）４ｃと、ガイドレール２２のスリット２２ａとを覆うようにシート部材２５をガイドレール２２に取り付けることを含む（図７（ウ）参照）。このシート部材２５は例えば土木シートである。シート部材２５は、側部防水シート４の外面４ｃを防護する機能と、ガイドレール２２内に異物等が入り込まないようにする機能とを有する。
シート部材２５は、地面ＧＬ１から掘削底面８までの距離と同程度の長さ（高さ）を有することが好ましい。
【００４４】
前述の「取付部材設置工程」及び「側部防水シート取付工程」に前後して、又は、「取付部材設置工程」及び「側部防水シート取付工程」に並行して、地中（原地盤Ｇ１中）を安定液を用いて鉛直方向に掘削することで、原地盤Ｇ１中に複数の先行エレメント１７構築用の掘削溝３０を形成する（図６（ア）参照：先行エレメント用掘削溝形成工程）。尚、この「先行エレメント用掘削溝形成工程」は本発明の「掘削溝形成工程」を構成するものである。
【００４５】
次に、側部防水シート４及びシート部材２５が取り付けられた鉄筋籠２０を各掘削溝３０内に挿入する（建て込む）（図６（イ）参照：先行エレメント用鉄筋籠挿入工程）。尚、この「先行エレメント用鉄筋籠挿入工程」は本発明の「鉄筋籠挿入工程」を構成するものである。
【００４６】
次に、側部防水シート４、シート部材２５及び鉄筋籠２０が挿入された掘削溝３０内にコンクリートを打設することで、鉄筋コンクリート製の先行エレメント１７を構築する（図６（イ）参照：先行エレメント構築工程）。尚、この「先行エレメント構築工程」は本発明の「地中連続壁構築工程」を構成するものである。
【００４７】
次に、構築された先行エレメント１７間において、原地盤Ｇ１中を安定液を用いて鉛直方向に掘削することで、原地盤Ｇ１中に後行エレメント１８構築用の掘削溝３１を形成する（図６（ウ）参照：後行エレメント用掘削溝形成工程）。尚、この「後行エレメント用掘削溝形成工程」は本発明の「掘削溝形成工程」を構成するものである。
ここで、本実施形態では、前述のコンクリートカッティング工法を採用しているので、「後行エレメント用掘削溝形成工程」では、先行エレメント１７の端部のコンクリートカッティングが実施される。
【００４８】
次に、側部防水シート４及びシート部材２５が取り付けられた鉄筋籠２０を各掘削溝３１内に挿入する（建て込む）（図６（エ）参照：後行エレメント用鉄筋籠挿入工程）。尚、この「後行エレメント用鉄筋籠挿入工程」は本発明の「鉄筋籠挿入工程」を構成するものである。
【００４９】
次に、側部防水シート４、シート部材２５及び鉄筋籠２０が挿入された掘削溝３１内にコンクリートを打設することで、鉄筋コンクリート製の後行エレメント１８を構築する（図６（エ）参照：後行エレメント構築工程）。尚、この「後行エレメント構築工程」は本発明の「地中連続壁構築工程」を構成するものである。
【００５０】
ここで、「後行エレメント構築工程」では、互いに隣り合う先行エレメント１７及び後行エレメント１８の端部同士が接続部１９を介して接続される。ここで、接続部１９は、互いに隣り合う先行エレメント１７及び後行エレメント１８の端部同士の連結部分である。
【００５１】
このようにして、複数の先行エレメント１７及び後行エレメント１８からなる第１壁部１１が構築される。また、第１壁部１１の内周面に側部防水シート４及びシート部材２５が敷設される。また、複数のガイドレール２２が第１壁部１１の周方向に間隔を空けて第１壁部１１の内周面に設けられる。
【００５２】
尚、前述の「先行エレメント用鉄筋籠挿入工程」及び「後行エレメント用鉄筋籠挿入工程」では、鉄筋籠２０に取り付けられた側部防水シート４及びシート部材２５が「先行エレメント構築工程」及び「後行エレメント構築工程」の後に第１壁部１１の内周面に位置するように鉄筋籠２０が掘削溝３０，３１内に挿入される。
【００５３】
次に、構築された第１壁部１１によって囲まれた地中（原地盤Ｇ１中）を掘削することで内部空間７を形成する（図２及び図８（ア）参照：内部空間形成工程）。この工程では前述のように１次掘削（気中掘削）と２次掘削（水中掘削）とが行われる。そして、ガイドレール２２のスリット２２ａにカッター等を通すことで、シート部材２５及び付着したスライムを剥落させる。
【００５４】
次に、第１壁部１１の内周面に位置する複数のガイドレール２２の各々の上端部に下降装置５０を配置する（下降装置セッティング工程：図８（イ）参照）。
【００５５】
図９に示すように、下降装置５０は、Ｔ字状断面を有して鉛直方向に延びる本体部５１を有する。本体部５１は、例えば、鉛直方向に延びるＣＴ形鋼からなり、そのフランジ５１ａがガイドレール２２内に配置され、ウェブ５１ｂの大部分がガイドレール２２のスリット２２ａから内部空間７内に突出して露出している。ウェブ５１ｂの下端部は斜めにカットされている。
【００５６】
ウェブ５１ｂの露出部分には、貫通孔５２，５３が貫通形成されている。貫通孔５２は、吊りロープ５４を取り付けるためのものである。貫通孔５３は、底部防水シート５の外縁部５ａに固定された耳部６１をひも６２で本体部５１に結び付けるためのものである（図８（ウ）参照）。
【００５７】
ここで、図８（ウ）に示すように、底部防水シート５の外縁部５ａには、その周方向に間隔を空けて複数の耳部６１が固定されている。尚、本実施形態では、底部防水シート５の外縁部５ａに耳部６１を固定するために接着剤が用いられるが、この他の手法で当該固定を行ってもよいことは言うまでもない。耳部６１は孔６３を有し、好ましくは帆布で形成されている。孔６３は、耳部６１をひも６２で本体部５１に結び付けるためのものである。
【００５８】
「下降装置セッティング工程」は、下降装置５０の本体部５１に吊りロープ５４を取り付けることを含む。下降装置５０の本体部５１は吊りロープ５４によって吊り下げ支持され得る。尚、吊りロープ５４については、図示しない拘束手段によって拘束することで、下降装置５０の本体部５１の意図しない下降を防止することが好ましい。
【００５９】
「下降装置セッティング工程」は、水面ＷＳより上方で実施され得る。また、「下降装置セッティング工程」は、第１壁部１１の上面開口部近傍で実施され得る。また、本実施形態では、「下降装置セッティング工程」に先立って、第１壁部１１の内周面に側部防水シート４が設けられている。
【００６０】
次に、底部防水シート５の外縁部５ａに固定された耳部６１の孔６３と、下降装置５０の本体部５１の貫通孔５３とにひも６２を通して相互に結び付けることで、底部防水シート５の外縁部５ａを下降装置５０の本体部５１に取り付ける（底部防水シート取付工程：図８（ウ）参照）。
【００６１】
次に、前述の拘束手段による吊りロープ５４の拘束を解除し、底部防水シート５が取り付けられた下降装置５０の本体部５１をガイドレール２２により案内しつつガイドレール２２の上端部から下端部まで下降させることで、底部防水シート５を掘削底面８まで下降させる（底部防水シート下降工程：図３及び図４参照）。ここで、図３は、「底部防水シート下降工程」の途中の状態を示し、図４は、「底部防水シート下降工程」が完了した状態を示す。
【００６２】
この下降装置５０の本体部５１及び底部防水シート５の下降については、これらの自重で当該下降が行われ得る。仮に、当該下降が、下降装置５０の本体部５１とガイドレール２２との間の摩擦等で滞る場合には、適宜の押し込み手段で地上側から下降装置５０の本体部５１を下方に押し込むことで対処可能である。
【００６３】
「底部防水シート下降工程」では、複数のガイドレール２２の各々に設けられた下降装置５０の本体部５１の吊りロープ５４の長さ（吊り下げ長さ）を前述の拘束手段を用いて適宜調整することで、底部防水シート５をその周方向で略均等に沈めていくことが好ましい。
【００６４】
次に、先行エレメント１７及び後行エレメント１８の端部同士を接続する接続部１９を内部空間７側から覆うように接続部防水シート４０（接続部防水シートユニット４１）を設置する（接続部防水シート設置工程：図１０（ア）及び（イ）参照）。ここで、図１０（ア）は、接続部防水シートユニット４１を設置する前の状態を示す。図１０（イ）は、接続部防水シートユニット４１を設置した後の状態を示す。
【００６５】
図１１（ア）及び（イ）に示すように、接続部防水シートユニット４１は、接続部防水シート４０と、２つのＴ継手４２と、２つのフラットバー４３とを含んで構成される。
Ｔ継手４２はＴ字状断面を有して鉛直方向に延びており、例えばＣＴ形鋼からなる。Ｔ継手４２のフランジ４２ａはガイドレール２２内に上方から挿入可能であり、Ｔ継手４２のウェブ４２ｂの大部分はガイドレール２２のスリット２２ａから内部空間７内に向けて突出可能である。ここにおいて、ガイドレール２２はいわゆるＰ継手として機能し、Ｔ継手４２と共に継手部を構成し得る。この継手部を介して、接続部防水シートユニット４１が第１壁部１１に連結され得る。
【００６６】
２つのＴ継手４２は、各々のウェブ４２ｂ同士で間隔Ｃ１（図１１（ア）参照）を空けて平行に並んでいる。ここで、間隔Ｃ１は、接続部１９を挟んで隣り合う先行エレメント１７及び後行エレメント１８に関して、先行エレメント１７のうち接続部１９に最も近いガイドレール２２のスリット２２ａと、後行エレメント１８のうち接続部１９に最も近いガイドレール２２のスリット２２ａとの間の間隔Ｃ２（図１０（ア）参照）と略同じになるように設定されている。
【００６７】
２つのＴ継手４２の各々のウェブ４２ｂの先端側（フランジ４２ａと反対の側）には、それぞれ、フラットバー４３が取り付けられている。フラットバー４３は鉛直方向に延びている。これらフラットバー４３に跨るように接続部防水シート４０が張設されている。
【００６８】
この「接続部防水シート設置工程」では、接続部防水シート４０の下端部が掘削底面８に到達するまで、接続部防水シート４０を含む接続部防水シートユニット４１をガイドレール２２により案内しつつ下降させる。
【００６９】
また、「接続部防水シート設置工程」では、この接続部防水シートユニット４１の下降が完了した後に、Ｔ継手４２のフランジ４２ａが挿入されているガイドレール２２内にモルタルなどの充填材を充填する。これにより、接続部防水シート４０の一側縁部が、フラットバー４３、Ｔ継手４２、充填材、及びガイドレール２２を介して、第１壁部１１の先行エレメント１７に固定され、また、接続部防水シート４０の他側縁部が、フラットバー４３、Ｔ継手４２、充填材、及びガイドレール２２を介して、第１壁部１１の後行エレメント１８に固定され得る。
【００７０】
次に、底部防水シート５の外縁部５ａと側部防水シート４の下端部４ｂと接続部防水シート４０の下端部とを覆うように押さえコンクリート６を打設する（押さえコンクリート打設工程：図５参照）。
【００７１】
以上のようにして、廃棄物処分場１内に防水シート（側部防水シート４、接続部防水シート４０、及び底部防水シート５）が敷設される。この敷設後において、内部空間７は、その側方及び下方を、側部防水シート４、ガイドレール２２、接続部防水シートユニット４１（接続部防水シート４０）、底部防水シート５、及び押さえコンクリート６によって囲まれる。
【００７２】
本実施形態によれば、防水シートの敷設方法は、廃棄物が投棄される内部空間７を有して地中を鉛直方向に延びる筒状の地中連続壁（第１壁部１１）と、地中連続壁（第１壁部１１）の下側開口部を塞ぐ底部（掘削底面８）とを有する廃棄物処分場１内に防水シート（側部防水シート４、接続部防水シート４０、及び底部防水シート５）を敷設する方法である。防水シートの敷設方法は、地中連続壁（第１壁部１１）の構築及び内部空間７の形成に先立って地中を鉛直方向に掘削することで地中に掘削溝３０，３１を形成する「掘削溝形成工程」（図６（ア）及び（ウ）参照）と、鉄筋籠２０の一側を覆うように側部防水シート４を鉄筋籠２０に取り付ける「側部防水シート取付工程」（図７（イ）参照）と、側部防水シート４が取り付けられた鉄筋籠２０を掘削溝３０，３１内に挿入する「鉄筋籠挿入工程」（図６（イ）及び（エ）参照）と、側部防水シート４及び鉄筋籠２０が挿入された掘削溝３０，３１内にコンクリートを打設することで、鉄筋コンクリート製の地中連続壁（第１壁部１１）を構築する「地中連続壁構築工程」（図６（イ）及び（エ）参照）と、構築された地中連続壁（第１壁部１１）によって囲まれた地中を掘削することで内部空間７を形成する「内部空間形成工程」（図２参照）と、を含む。「鉄筋籠挿入工程」（図６（イ）及び（エ）参照）では、鉄筋籠２０に取り付けられた側部防水シート４が「地中連続壁構築工程」（図６（イ）及び（エ）参照）の後に地中連続壁（第１壁部１１）の内周面に位置するように鉄筋籠２０を掘削溝３０，３１内に挿入する。ゆえに、地中連続壁（第１壁部１１）の構築と同時に地中連続壁（第１壁部１１）の内周面に側部防水シート４を敷設することができるので、廃棄物処分場１内に側部防水シート４を簡易に、かつ、効率よく敷設することができる。
【００７３】
また本実施形態によれば、地中連続壁（第１壁部１１）は、その周方向に交互に並ぶ先行エレメント１７及び後行エレメント１８を含んで構成される。防水シートの敷設方法は、互いに隣り合う先行エレメント１７及び後行エレメント１８の端部同士が接続された接続部１９を内部空間７側から覆うように接続部防水シート４０を設置する「接続部防水シート設置工程」（図１０（イ）参照）を含む。これにより、先行エレメント１７に敷設された側部防水シート４と、後行エレメント１８に敷設された側部防水シート４との間を接続部防水シート４０でカバーすることができるので、第１壁部１１の内周面に全周にわたって防水シートを敷設することができる。
【００７４】
また本実施形態によれば、「側部防水シート取付工程」（図７（イ）参照）では、鉄筋籠２０の一側に設けられて鉛直方向に延びるガイドレール２２に側部防水シート４を取り付けることで、側部防水シート４をガイドレール２２を介して鉄筋籠２０に取り付ける。防水シートの敷設方法は、「地中連続壁構築工程」（図６（エ）参照）の後にガイドレール２２の上端部に下降装置５０を配置する「下降装置セッティング工程」（図８（イ）参照）と、「下降装置セッティング工程」（図８（イ）参照）の後に底部防水シート５の外縁部５ａを下降装置５０に取り付ける「底部防水シート取付工程」（図８（ウ）参照）と、「内部空間形成工程」（図２参照）の後、かつ、「底部防水シート取付工程」（図８（ウ）参照）の後に、下降装置５０をガイドレール２２により案内しつつガイドレール２２の上端部から下端部まで下降させることで底部防水シート５を廃棄物処分場１の底部（掘削底面８）まで下降させる「底部防水シート下降工程」（図３及び図４参照）と、を含む。ゆえに、底部防水シート５が取り付けられた下降装置５０をガイドレール２２により案内しつつ下降させることで、底部防水シート５を掘削底面８まで下降させることができるので、廃棄物処分場１内に底部防水シート５を簡易に、かつ、効率よく敷設することができる。
【００７５】
また本実施形態によれば、「接続部防水シート設置工程」（図１０（イ）参照）は、「底部防水シート下降工程」（図３及び図４参照）の後に実施される。「接続部防水シート設置工程」（図１０（イ）参照）は、接続部防水シート４０の下端部が廃棄物処分場の底部（掘削底面８）に到達するまで接続部防水シート４０をガイドレール２２により案内しつつ下降させることを含む。これにより、底部防水シート５の敷設に使用されるガイドレール２２を接続部防水シート４０の設置にも使用することができる。
【００７６】
また本実施形態によれば、防水シートの敷設方法は、「底部防水シート下降工程」（図３及び図４参照）の後、かつ、「接続部防水シート設置工程」（図１０（イ）参照）の後に、底部防水シート５の外縁部５ａと側部防水シート４の下端部４ｂと接続部防水シート４０の下端部とを覆うように押さえコンクリート６を打設する「押さえコンクリート打設工程」（図５参照）を含む。これにより、底部防水シート５と側部防水シート４と接続部防水シート４０との連続化（一体化）を図ることができる。
【００７７】
また本実施形態によれば、「側部防水シート取付工程」（図７（イ）参照）は、側部防水シート４における鉄筋籠２０に相対する側と反対の側の表面（外面４ｃ）を防護するためのシート部材２５を鉄筋籠２０に取り付けることを含む（図７（ウ）参照）。これにより、第１壁部１１の構築時及び内部空間７の形成時に側部防水シート４が破損することを防止することができる。
【００７８】
また本実施形態によれば、防水シートの敷設方法は、廃棄物が投棄される内部空間７を有して地中を鉛直方向に延びる筒状の地中連続壁（第１壁部１１）と、地中連続壁（第１壁部１１）の下側開口部を塞ぐ底部（掘削底面８）とを有する廃棄物処分場１内に防水シートを敷設する方法である。防水シートの敷設方法は、地中連続壁（第１壁部１１）の周方向に間隔を空けて地中連続壁（第１壁部１１）の内周面に設けられて鉛直方向に延びる複数のガイドレール２２の各々の上端部に下降装置５０を配置する「下降装置セッティング工程」（図８（イ）参照）と、「下降装置セッティング工程」（図８（イ）参照）の後に底部防水シート５の外縁部５ａを下降装置５０に取り付ける「底部防水シート取付工程」（図８（ウ）参照）と、底部防水シート５が取り付けられた下降装置５０をガイドレール２２により案内しつつガイドレール２２の上端部から下端部まで下降させることで底部防水シート５を廃棄物処分場１の底部（掘削底面８）まで下降させる「底部防水シート下降工程」（図３及び図４参照）と、を含む。ゆえに、底部防水シート５が取り付けられた下降装置５０をガイドレール２２により案内しつつ下降させることで、底部防水シート５を掘削底面８まで下降させることができるので、廃棄物処分場１内に底部防水シート５を簡易に、かつ、効率よく敷設することができる。
【００７９】
また本実施形態によれば、「下降装置セッティング工程」（図８（イ）参照）に先立って地中連続壁（第１壁部１１）の内周面に側部防水シート４が敷設されている。防水シートの敷設方法は、「底部防水シート下降工程」（図３及び図４参照）の後に、底部防水シート５の外縁部５ａと側部防水シート４の下端部４ｂとを覆うように押さえコンクリート６を打設する「押さえコンクリート打設工程」（図５参照）を含む。これにより、底部防水シート５と側部防水シート４との連続化（一体化）を図ることができる。
【００８０】
本実施形態では、第１壁部１１（地中連続壁）の構築方法としてコンクリートカッティング工法を用いた場合について説明したが、第１壁部１１の構築方法はこれに限らず、例えば接合鋼板工法を用いてもよい。一般に、接合鋼板工法では、先行エレメント１７の構築に関して、鉄筋籠２０の両端部に接合鋼板が設けられており、掘削溝３０内にコンクリートを打設する際に接合鋼板と掘削溝３０の壁面との間の隙間からコンクリートが漏れ出ること（後行エレメント１８の構築予定領域にコンクリートが回り込むこと）を防止するための土木シートを当該コンクリートの打設に先立って設置する。この土木シートを前述のシート部材２５として活用することができる。
【００８１】
本実施形態では、第１壁部１１の直上に第２壁部１２を構築するに先立って底部防水シート５及び接続部防水シート４０を設置しているが、これに代えて、第１壁部１１の直上に第２壁部１２を構築した後に底部防水シート５及び接続部防水シート４０を設置してもよい。この場合にはガイドレール２２が第２壁部１２の上端部に至るまで延長され得る。
【００８２】
本実施形態において、掘削底面８が、水を全く透過させない性質（水不透過性）を有するか、又は、水を略透過させない程度である（すなわち、僅かな水透過性を有する程度である）場合には、底部防水シート５を省略してもよい。この場合には、前述の「下降装置セッティング工程」、「底部防水シート取付工程」、及び「底部防水シート下降工程」が省略される。また、この場合には、「押さえコンクリート打設工程」において、前述の側部防水シート４の下端部４ｂと接続部防水シート４０の下端部とを覆うように押さえコンクリート６を打設してもよい。又は「押さえコンクリート打設工程」を省略してもよい。
【００８３】
本実施形態において、第１壁部１１の遮水性が十分に確保される場合には、側部防水シート４及び接続部防水シート４０を省略してもよい。この場合には、前述の「側部防水シート取付工程」及び「接続部防水シート設置工程」が省略される。また、この場合には、「押さえコンクリート打設工程」において、前述の底部防水シート５の外縁部５ａを覆うように押さえコンクリート６を打設してもよい。又は「押さえコンクリート打設工程」を省略してもよい。また、側部防水シート４及び接続部防水シート４０を省略する場合には、接続部防水シートユニット４１の設置が不要となるので、前述の「取付部材設置工程」で１つの鉄筋籠２０に取り付けられる取付部材２３の個数は１つ以上の任意の個数であり得る。換言すれば、１つの先行エレメント１７に設けられるガイドレール２２は１つ以上であり得、また、１つの後行エレメント１８に設けられるガイドレール２２は１つ以上であり得る。
【００８４】
本実施形態では、廃棄物を地上から廃棄物処分場１の内部空間７内まで搬送するために通路１５及び開口部１４が設けられているが、これに加えて、又は、これに代えて、屋根３に廃棄物投棄用の貫通孔を複数形成してもよい。すなわち、廃棄物を地上から廃棄物処分場１の内部空間７内まで搬送する手法については、前述の手法に限らず、任意である。
【００８５】
本実施形態では、筒状の壁体２、第１壁部１１及び第２壁部１２の断面形状が円形状であるが、これらの断面形状は円形状に限らず、例えば、楕円形状、又は、矩形状などの多角形状であってもよい。筒状の壁体２、第１壁部１１及び第２壁部１２の断面形状に対応するように、側部防水シート４、接続部防水シート４０、及び底部防水シート５の形状が適宜設定され得る。また、平面視における屋根３の形状についても、筒状の壁体２、第１壁部１１及び第２壁部１２の断面形状に対応させて、例えば、楕円形状、又は、矩形状などの多角形状としてもよい。
【００８６】
図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００８７】
１…廃棄物処分場、２…壁体、３…屋根、４…側部防水シート、４ａ…上端部、４ｂ…下端部、４ｃ…外面、５…底部防水シート、５ａ…外縁部、６…押さえコンクリート、７…内部空間、８…掘削底面、９…揚水管、９ａ…下端、１１…第１壁部、１２…第２壁部、１４…開口部、１５…通路、１７…先行エレメント、１８…後行エレメント、１９…接続部、２０…鉄筋籠、２０ａ…一側面、２１…腕部材、２２…ガイドレール、２２ａ…スリット、２３…取付部材、２５…シート部材、３０，３１…掘削溝、４０…接続部防水シート、４０ａ…上端部、４１…接続部防水シートユニット、４２…Ｔ継手、４２ａ…フランジ、４２ｂ…ウェブ、４３…フラットバー、５０…下降装置、５１…本体部、５１ａ…フランジ、５１ｂ…ウェブ、５２，５３…貫通孔、５４…吊りロープ、６１…耳部、６２…ひも、６３…孔、Ｃ１，Ｃ２…間隔、Ｇ１…原地盤、Ｇ２…盛土、ＧＬ１，ＧＬ２…地面、Ｗ…水、ＷＬ…地下水位、ＷＳ…水面
【図１】
2020175314.tif 000003
【図２】
2020175314.tif 000004
【図３】
2020175314.tif 000005
【図４】
2020175314.tif 000006
【図５】
2020175314.tif 000007
【図６】
2020175314.tif 000008
【図７】
2020175314.tif 000009
【図８】
2020175314.tif 000010
【図９】
2020175314.tif 000011
【図１０】
2020175314.tif 000012
【図１１】
2020175314.tif 000013